(57)【要約】【課題】構成部材の削減が図れると共に、設置面の傾斜に対応した取付が容易な手摺の化粧カバーを提供すること。【解決手段】手摺の支柱４の下端部に取り付けられる化粧カバー１０を２つに分割される互いに接合可能な分割体１１にて形成する。分割体１１は、上面部１２と、該上面部１２の外周に沿って垂設される壁部１３と、接合部において互いに係合可能な係合凹部１４及び係合凸部１５とを有すると共に、両分割体１１は点対称に形成され、接合状態で上面部１２の中央部に支柱４の挿通孔２０が形成され、挿通孔２０は、上面部１２の表面側から裏面側に向かって拡径状に形成される。【選択図】図７
2018105079.tif 000002
【特許請求の範囲】
【請求項１】
手摺の支柱の下端部に取り付けられる化粧カバーであって、
２つに分割される互いに接合可能な分割体からなり、
上記分割体は、上面部と、該上面部の外周に沿って垂設される壁部と、接合部において互いに係合可能な係合凹部及び係合凸部とを有すると共に、接合状態で上記両分割体の上記上面部の中央部に上記支柱の挿通孔が形成され、
上記挿通孔は、上記上面部の表面側から裏面側に向かって拡径状に形成されている、
ことを特徴とする手摺の化粧カバー。
【請求項２】
請求項１記載の手摺の化粧カバーにおいて、
上記上面部の裏面側における上記挿通孔の周辺位置に、短軸が上記挿通孔と同径で、長軸が上記挿通孔よりも長い半楕円形の切断溝部が刻設されている、ことを特徴とする手摺の化粧カバー。
【請求項３】
請求項２記載の手摺の化粧カバーにおいて、
上記切断溝部は、上記長軸が異なる複数の半楕円形を含む、ことを特徴とする手摺の化粧カバー。
【請求項４】
請求項１ないし３のいずれかに記載の手摺の化粧カバーにおいて、
上記分割体は互いに点対称に形成され、一方の接合面に、上記上面部及び壁部の表面より凹む段部が突設され、他方の接合面に、上記段部に係合可能な溝部が設けられている、ことを特徴とする手摺の化粧カバー。
【請求項５】
請求項１ないし４のいずれかに記載の手摺の化粧カバーにおいて、
上記上面部の裏面側における上記挿通孔の外周位置に、上記挿通孔を囲む補強リブが設けられている、ことを特徴とする手摺の化粧カバー。
【発明の詳細な説明】
【技術分野】
【０００１】
この発明は、手摺の支柱の下端部に取り付けられる手摺の化粧カバーに関するものである。
【背景技術】
【０００２】
一般に、玄関アプローチ付近などに設けられる手摺は、所定間隔で設けられる支柱の上端に手摺を固定することで適当な高さに設けられる。
【０００３】
また、手摺の下端部には、見栄えなどのために化粧カバーを設ける場合がある。その際、既設の手摺においては、支柱の上端に手摺が固定されているため、取り付けを可能にするためには、化粧カバーを分割する必要がある。
また、車椅子の通行のために傾斜したアプローチ部に支柱を立設する場合などは平坦部用のカバーは取り付けることができず、傾斜面に対応して取り付ける必要がある。
【０００４】
従来のこの種のカバーとして、２つの分割体からなり、分割体は互いに嵌合可能な嵌合部を有し、嵌合部を貫通する固定孔の少なくとも一方を長孔に形成し、固定孔を介して支柱に固定ねじにより固定する構造のものが知られている（例えば、特許文献１参照）。
特許文献１に記載のものによれば、固定ねじを長孔でずらして固定することで、設置面の傾斜に対応可能である。
【０００５】
また、別のカバーとして、２つ割のフランジカバーが点対称に形成され、接合面に、他方のフランジカバーの接合面の下に挿入可能な、係止凹部を有する突出体を設け、フランジカバーの内部に係止凹部に係止可能な係止凸部を形成した構造のものが知られている（例えば、特許文献２参照）。
【先行技術文献】
【特許文献】
【０００６】
【特許文献１】特開２００３−２７６９１号公報
【特許文献２】特開２００６−３４８５２１号公報
【発明の概要】
【発明が解決しようとする課題】
【０００７】
しかしながら、特許文献１に記載のカバーにおいては、分割体の形状が異なるため、２種類の分割体を作製する必要がある。また、少なくとも一方が長孔の固定孔を介して支柱に固定ねじにより固定して組み立てるため、取付作業が面倒となる懸念がある。
【０００８】
これに対して、引用文献２に記載のカバーにおいては、２つ割りのフランジカバー（分割体）が点対称に形成されており、また、固定ねじを用いないため、構成部材の削減を図ることができると共に、組立を容易にすることができる。しかし、傾斜したアプローチ部に支柱を立設する場合には、設置面の傾斜に対応した取付ができない懸念がある。
【０００９】
この発明は、上記事情に鑑みてなされたもので、構成部材の削減が図れると共に、設置面の傾斜に対応した取付が容易な手摺の化粧カバーを提供することを課題とする。
【課題を解決するための手段】
【００１０】
上記課題を解決するため、この発明は、手摺の支柱の下端部に取り付けられる化粧カバーであって、  ２つに分割される互いに接合可能な分割体からなり、  上記分割体は、上面部と、該上面部の外周に沿って垂設される壁部と、接合部において互いに係合可能な係合凹部及び係合凸部とを有すると共に、接合状態で上記両分割体の上記上面部の中央部に上記支柱の挿通孔が形成され、  上記挿通孔は、上記上面部の表面側から裏面側に向かって拡径状に形成されている、ことを特徴とする（請求項１）。
【００１１】
このように構成することにより、１種類の分割体の係合凹部と係合凸部を係合させて支柱の下端部に取り付けることができる。また、挿通孔は上面部の表面側から裏面側に向かって拡径状に形成されているため、設置面が傾斜している場合に対応して取り付けることができる。この際、挿通孔の表面側から裏面側に向かう面の勾配の範囲内において設置面が傾斜している場合に対応して取り付けることができる。すなわち、挿通孔の勾配と設置面の傾斜角とが同等以下の範囲で設置面の傾斜に対応して取り付けることができる。
【００１２】
この発明において、上記上面部の裏面側における上記挿通孔の周辺位置に、短軸が上記挿通孔と同径で、長軸が上記挿通孔よりも長い半楕円形の切断溝部が刻設されているのが好ましい（請求項２）。この場合、上記切断溝部は、上記長軸が異なる複数の半楕円形を含むものでもよい（請求項３）。
【００１３】
このように構成することにより、切断溝部に沿って挿通孔を楕円形状に拡大することができるので、設置面の傾斜が挿通孔の勾配より大きい場合に対応して取り付けることができる。
【００１４】
また、この発明において、上記分割体は互いに点対称に形成され、一方の接合面に、上記上面部及び壁部の表面より凹む段部が突設され、他方の接合面に、上記段部に係合可能な溝部が設けられているのが好ましい（請求項４）。
【００１５】
このように構成することにより、両分割体の接合状態では段部と溝部が係合しているので、両分割体の接合部にずれが生じた場合においても両分割体間の隙間から下部の設置面が露呈するのを防止することができる。
【００１６】
加えて、この発明において、上記上面部の裏面側における上記挿通孔の外周位置に、上記挿通孔を囲む補強リブが設けられているのが好ましい（請求項５）。
【００１７】
このように構成することにより、分割体自体に強度を持たせることができると共に、壁部と補強リブを設置面に当接させた状態で取り付けることができる。
【発明の効果】
【００１８】
この発明によれば、上記のように構成されているので、以下のような顕著な効果が得られる。
【００１９】
（１）請求項１に記載の発明によれば、同形状の分割体の係合凹部と係合凸部を係合させて支柱の下端部に取り付けることができ、また、設置面が傾斜している場合に対応して取り付けることができるので、構成部材の削減が図れると共に、設置面の傾斜に対応した取付を容易にすることができ、手摺の支柱の下端部の見栄えを良好にすることができる。
【００２０】
（２）請求項２，３記載の発明によれば、上記（１）に加えて、更に設置面の傾斜が大きい場合に対応して取り付けることができ、化粧カバーの取付の自由度が図れる。
【００２１】
（３）請求項４記載の発明によれば、両分割体の接合部にずれが生じた場合においても両分割体間の隙間から下部の設置面が露呈するのを防止することができるので、上記（１），（２）に加えて、更に支柱の下端部の見栄えを良好にすることができ、景観の向上を図ることができる。
【００２２】
（４）請求項５記載の発明によれば、分割体自体に強度を持たせることができると共に、壁部と補強リブを設置面に当接させた状態で取り付けることができるので、上記（１）〜（３）に加えて、更に化粧カバーに強度を持たせると共に、安定させた状態で取り付けることができる。
【図面の簡単な説明】
【００２３】
【図１】この発明に係る化粧カバーの使用状態の異なる例を示す側面図である。
【図２Ａ】図１（ａ）の化粧カバーの取付部Aを示す断面図（ａ）及び（ａ）のＩ部の拡大断面図（ｂ）である。
【図２Ｂ】図１（ｂ）の化粧カバーの取付部Bを示す断面図（ａ）及び（ａ）のII部の拡大断面図（ｂ）である。
【図２Ｃ】図１（ｃ）の化粧カバーの取付部Cを示す断面図（ａ）及び（ａ）のIII部の拡大断面図（ｂ）である。
【図３】この発明における分割体の平面図（ａ）、正面図（ｂ）及び底面図（ｃ）である。
【図４】図３に示す分割体を組み付けた状態の平面図である。
【図５】この発明における分割体の別の使用形態を示す平面図（ａ）、正面図（ｂ）及び底面図（ｃ）である。
【図６】図５に示す分割体を組み付けた状態の平面図である。
【図７】上記分割体を組み付ける状態を示す斜視図（ａ）及びその側面図（ｂ）である。
【図８】上記分割体を組み付けた状態を示す上方斜視図（ａ）及び下方斜視図（ｂ）である。
【図９】上記分割体の組み付けがずれた状態を示す平面図（ａ）及び（ａ）のIV部拡大図（ｂ）である。
【図１０】上記分割体の別の実施形態を示す平面図（ａ）及び底面図（ｂ）である。
【図１１】図１０の分割体を組み付けた状態を示す平面図である。
【発明を実施するための形態】
【００２４】
以下に、この発明の実施形態に係る手摺の化粧カバーについて、添付図面を参照して詳細に説明する。ここでは、玄関アプローチ付近に手摺を設ける場合について説明する。
【００２５】
図１（ａ），（ｂ），（ｃ）に示すように、手摺１は、設置面２に所定間隔で設けられる支柱４の上端と建物の壁面３に取り付けられる第１のブラケット５ａを介して上部手摺６ａを固定し、上端側より低い位置と建物の壁面３に取り付けられる第２のブラケット５ｂを介して下部手摺６ｂを固定することで適当な高さに設けられており、支柱４の下端部にこの発明に係る化粧カバー１０が取り付けられている。
【００２６】
この場合、化粧カバー１０は、２つに分割される互いに点対称に形成される接合可能な同一形状の分割体１１からなり、接合した状態で反皿状に形成されている。分割体１１は、耐候性に優れた例えばＡＳＡ樹脂製部材にて形成されている。
【００２７】
分割体１１は、半ドーナツ状の上面部１２と、該上面部１２の外周に沿って垂設される壁部１３と、接合部において互いに係合可能な係合凹部１４及び係合凸部１５とを有すると共に、接合状態で上面部１２の中央部に支柱４の挿通孔２０が形成されている。この場合、挿通孔２０の内径は支柱の外径より若干大きく形成されている。例えば、支柱４の外径が４２．７ｍｍに対して挿通孔２０の内径は４４ｍｍに設定されている。
【００２８】
挿通孔２０は、上面部１２の表面側から裏面側に向かって拡径状に形成されている。本実施形態では、挿通孔２０の勾配は１２°に設定されている。このように、挿通孔２０の勾配を１２°に設定することにより、設置面２の傾斜角が０〜１２°の範囲内において支柱４の下端部に化粧カバー１０を取り付けることができる（図１Ａ，図１Ｂ，図２Ａ及び図２Ｂ参照）。
なお、挿通孔２０の勾配は１２°に限定されるものではなく、支柱４との隙間を大きくしない範囲内で任意の角度に設定できる。
【００２９】
また、上面部１２の裏面側における挿通孔２０の周辺位置には、設置面２の傾斜に対応させるために、短軸が挿通孔２０と同径で、長軸が挿通孔２０よりも長い半楕円形の切断溝部１６が刻設されている。この場合、切断溝部１６は断面Ｖ字状に形成されており、カッター等の切断工具による切断が容易に行えるようになっている。
なお、切断溝部１６に沿って切断された後の楕円形状の挿通孔２０Ａにより、設置面２の傾斜角が３０°において支柱４の下端部に化粧カバー１０を取り付けることができる（図１Ｃ及び図２Ｃ参照）。
【００３０】
また、上面部１２の裏面側における挿通孔２０の外周位置に、挿通孔２０と切断溝部１６を囲む半円弧状の補強リブ１７が設けられている。この補強リブ１７の下端面と壁部１３の下端面は同一面上に位置している。
【００３１】
また、分割体１１における挿通孔２０を挟んだ一方の接合面には、上面部１２及び壁部１３の外周表面より凹む段部１８が突設され、挿通孔２０を挟んだ他方の接合面には、段部１８の外周面に係合可能な溝部１９が設けられている。なお、段部１８の外周面と溝部１９の内周面は、上面部１２及び壁部１３の輪郭と相似形に形成されている。
【００３２】
この場合、段部１８の接合面に上記係合凸部１５が突設され、溝部１９の接合面に上記係合凹部１４が設けられている。係合凹部１４は、接合面側から内方に向かって拡開テーパ状に形成されると共に、接合面側が狭隘開口状に形成され、係合凸部１５は、接合面側から外方に向かって拡開テーパ状に形成されると共に、弾性を持たせるべく接合面側が開口するスリット１５ａが形成されている。
【００３３】
次に、上記のように構成される分割体１１を支柱４に取り付ける手順について説明する。設置面２の傾斜が０°〜１２°の場合は、図７（ａ）に示すように、支柱４を挟んで両分割体１１の係合凹部１４側を上方に傾けた状態で対向させる。この状態で、図７（ｂ）に示すように、両分割体１１を相対的に捻るようにして係合凸部１５と係合凹部１４とを係合させると共に、段部１８と溝部１９を係合させて両分割体１１を組み付ける（図８参照）。
【００３４】
なお、設置面２の傾斜が３０°の場合は、まず、切断溝部１６をカッター等の工具で切断して、挿通孔２０を楕円形状の挿通孔２０Ａに拡大し、この拡大された挿通孔２０Ａの開口縁部をヤスリ等で仕上げる。そして、上述と同様に、支柱４を挟んで両分割体１１の係合凹部１４側を上方に傾けた状態で対向させた状態で、両分割体１１を相対的に捻るようにして係合凸部１５と係合凹部１４とを係合させると共に、段部１８と溝部１９を係合させて両分割体１１を組み付ける。
【００３５】
上記のようにして両分割体１１を組み付けた化粧カバー１０を、支柱４の下端部まで押し下げて設置面２に接地して取付が終了する。これにより、設置面２の傾斜が０°〜１２°，１２°超〜３０°の範囲に設置される既設の手摺１の支柱４の下端部に取り付けることができる。また、新設の手摺１の支柱４の下端部に取り付ける場合においても付け忘れの問題を解決することができる。
【００３６】
上記実施形態の化粧カバー１０によれば、１種類の分割体１１にて形成されているので、構成部材の削減が図れると共に、分割体１１の作製を容易にすることができる。また、同一形状の分割体１１に設けられた係合凹部１４と係合凸部１５を係合させて支柱４の下端部に取り付けることができるので、両分割体１１の位置関係を気にせずに容易に取り付けることができる。
また、挿通孔２０は上面部１２の表面側から裏面側に向かって勾配が１２°の拡径状に形成されているため、設置面２が０°〜１２°に傾斜している場合に対応して取り付けることができる（図１Ａ，図１Ｂ，図２Ａ及び図２Ｂ参照）。
【００３７】
また、切断溝部１６に沿って挿通孔２０を楕円形状の挿通孔２０Ａに拡大することにより、設置面２の傾斜が挿通孔２０の勾配（１２°）より大きい３０°に対応して取り付けることができるので、設置面２の傾斜に対応させた取付に自由度を持たせることができる。
【００３８】
また、両分割体１１の接合状態では段部１８と溝部１９が係合しているので、図９に示すように、両分割体１１の接合部にずれが生じた場合においても両分割体１１間の隙間Ｓから下部の設置面２が露呈するのを防止することができる。
【００３９】
また、係合凹部１４は、接合面側が狭隘開口状に形成され、係合凸部１５は、接合面側が開口するスリット１５ａが形成されることで、係合凸部１５に弾性を持たせて、係合凸部１５と係合凹部１４を係合させることができるので、両分割体１１の接合を容易かつ強固にすることができる。また、交換等で両分割体１１を分離して取り外す場合においても係合凸部１５が破損することなく取り外すことができる。
【００４０】
更に、上面部１２の裏面側における挿通孔２０の外周位置に、挿通孔２０を囲む補強リブ１７を設けることにより、分割体１１自体に強度を持たせることができると共に、壁部１３と補強リブ１７を設置面２に当接させた状態で安定した状態で取り付けることができる。
【００４１】
なお、上記実施形態では、切断溝部１６が１つの場合について説明したが、図１０及び図１１に示すように、挿通孔２０と切断溝部１６との間に切断溝部１６の長軸より小さな長軸の切断溝部１６ａを設けてもよい。このように、長軸が異なる半楕円形の切断溝部１６，１６ａを設けて、切断溝部１６ａに沿って挿通孔２０を楕円形状の挿通孔２０Ｂに拡大することにより、設置面２の傾斜が挿通孔２０の勾配（１２°）と切断溝部１６に沿う楕円形による３０°の中間の例えば２０°に対応して、支柱４との隙間を少なくした状態で化粧カバー１０を取り付けることができる。なお、切断溝部１６，１６ａ以外に３つにしてもよい。
このように、複数の切断溝部１６，１６ａを設けることにより、更に設置面２の傾斜に対応させた取付に自由度を持たせることができる。
【符号の説明】
【００４２】
１  手摺
４  支柱
１０  化粧カバー
１１  分割体
１２  上面部
１３  壁部
１４  係合凹部
１５  係合凸部
１５ａ  スリット
１６，１６ａ  切断溝部
１７  補強リブ
１８  段部
１９  溝部
２０  挿通孔
２０Ａ，２０Ｂ  楕円形状の挿通孔
【図１】
2018105079.tif 000003
【図２Ａ】
2018105079.tif 000004
【図２Ｂ】
2018105079.tif 000005
【図２Ｃ】
2018105079.tif 000006
【図３】
2018105079.tif 000007
【図４】
2018105079.tif 000008
【図５】
2018105079.tif 000009
【図６】
2018105079.tif 000010
【図７】
2018105079.tif 000011
【図８】
2018105079.tif 000012
【図９】
2018105079.tif 000013
【図１０】
2018105079.tif 000014
【図１１】
2018105079.tif 000015